(57)【要約】【課題】携帯端末装置において、電池が装着されたままのトレー、カードの無理な引き出しを防止する。【解決手段】ＳＩＭカード５０と対向する第１の面３２１と第１の面３２２とは反対の第２の面３２２を有するトレー部３２と、ＳＩＭカード５０と接続可能な接続端子が設けられ、トレー部３２がスライド方向に沿って挿入されるハウジング部３１と、を備えるカードコネクタ３０であって、トレー部３２は、スライド方向の端部において、第１の面３２１から第２の面３２２に向かう向きに沿って突出する第１凸部Ｐ１を有する。【選択図】図３
2010278891.tif 000002
【特許請求の範囲】
【請求項１】
カードと対向する第１の面と前記第１の面と反対の第２の面を有するトレー部と、
前記カードと接続可能な接続端子が設けられ、前記トレー部がスライド方向に沿って挿入されるハウジング部と、を備えるカードコネクタであって、
前記トレー部は、前記スライド方向の端部において、前記第１の面から前記第２の面に向かう向きに沿って突出する凸部を有するカードコネクタ。
【請求項２】
請求項１に記載のカードコネクタであって、
前記凸部は前記第２の面に設けられたカードコネクタ。
【請求項３】
請求項１又は請求項２に記載のカードコネクタであって、
前記トレー部は、前記第１の面と前記第２の面の間を貫通する開口部を有し、
前記接続端子は前記開口部を通して前記ハウジング部の内部に露出するカードコネクタ。
【請求項４】
請求項１から請求個３のいずれか１項に記載のカードコネクタであって、前記凸部がトレー部の前記スライド方向と交差する幅方向における中央付近に配置されたカードコネクタ。
【請求項５】
基板と、前記基板に固定された請求項１から請求項４のいずれか１項に記載のカードコネクタとを備える回路基板であって、
前記基板の端面と前記凸部の側部が対向する回路基板。
【請求項６】
請求項５に記載の回路基板であって、
前記トレー部は、前記ハウジング部に対する所定距離以上の進入を防止するストッパー部を備え、
前記第１凸部から前記回路基板の端面までの距離が、前記ストッパー部から前記ハウジング部までの距離より小さい回路基板。
【請求項７】
請求項５に記載の回路基板であって、
前記凸部を第１凸部とし、
前記トレー部は、前記端部において前記第２の面から前記第１の面に向かう向きに沿って突出する第２凸部を備え、
前記第１凸部と前記第２凸部は同一の面を備える回路基板。
【請求項８】
請求項５に記載の回路基板であって、
前記凸部を第１凸部とし、
前記トレー部は、前記端部において前記第２の面から前記第１の面に向かう向きに沿って突出する第２凸部を備え、
前記第１凸部の端面が前記第２凸部の端面より前記スライド方向に沿って外側に配置される回路基板。
【請求項９】
請求項１から４のいずれか１項に記載のカードコネクタ、または、請求項５から請求項８のいずれか１項に記載の回路基板と、電池とを備え、
前記凸部が前記電池と対向する携帯端末装置。
【発明の詳細な説明】
【技術分野】
【０００１】
本発明は、ＳＩＭカードの如きカードを収納するカードコネクタ、回路基板、及び携帯端末装置に関するものである。
【背景技術】
【０００２】
ＳＩＭ（Subscriber Identity Module Card）カードに代表されるＩＣカードは、ＧＳＭ（Global System for Mobile Communications）やＷ−ＣＤＭＡ（Wideband Code Division Multiple Access）などの方式の携帯電話機で使われており、ユーザの電話番号や契約している携帯電話事業者の情報などが記録されている。ＩＣカードを携帯電話機に装着することにより、当該カード内に記録されている電話番号でその携帯電話機を利用することができるようになる。
【０００３】
ＳＩＭカードを装着した携帯電話機として、例えば特許文献１に記載のものが知られている。
【０００４】
即ち、図８に示すように、携帯電話機１００はスライド式の携帯電話機であって、キャビネット１０１の長手方向に電池収容凹部１０２及びカード差込部１０３が互いに隣接するように設けられている。また、電池収容凹部１０２とカード差込部１０３との境界には規制部材１０４を設けられ、当該規制部材１０４は、電池収容凹部１０２に電池が収容されているときに、カード差込部１０３に対するＳＩＭカード１１０の抜き差し動作を規制する。
【０００５】
また、携帯電話機において、ＳＩＭカードと携帯電話機の本体側との電気的な接続を図るカードコネクタとして、例えば特許文献２に記載のものが知られている。
【０００６】
即ち、図９に示すように、このカードコネクタ２００は、ＳＩＭカード３００を収容可能なトレー２１０と、ＳＩＭカードを収容したトレー２１０がスライド可能に挿入される本体部２２０と、を有する。トレー２１０は平面部２１１と、略Ｌ字形を呈し、一端が外側に向けられた縁部２１２とを有している。また、本体部２２０は、ガイド部２２１とベース部２２２とを有している。さらに、本体部２２０には、ベース部２２２のガイド部２２１と対向する両側面の少なくとも一部に、トレー２１０が本体部２２０にスライド可能に挿入された時、トレー２１０に形成された縁部２１２を内側からガイド方向に押し圧を与える凸部２２３が形成されていると共に、接続端子２２４が形成されている。このようなカードコネクタ２００によれば、カード３００の電極と接点端子との電気的な接触における信頼性を確保するとともに低背化を図ることができる。
【先行技術文献】
【特許文献】
【０００７】
【特許文献１】特開２００８−２８９０６３号公報
【特許文献２】特開２００７−０１８９６９号公報
【発明の概要】
【発明が解決しようとする課題】
【０００８】
ところで、携帯電話機１００を正常に動作させるため、電池がセットされたまま、携帯電話機本体からＳＩＭカードが取り出されるのを防止する必要がある。このような防止策を達成するための具体的な構造について、上記の携帯電話機１００あるいはカードコネクタ２００に類似する構造の携帯電話機を図１０に示す。
【０００９】
図１０（Ａ）のように、例えば携帯電話機１００を使用しようとする者が、電池４１０がセットされたままトレー４２０を引き出してＳＩＭカード５００を取り出そうとしても、トレー４２０が電池４１０に突き当たり、ＳＩＭカード５００を引き出すことはできない。
【００１０】
一方、携帯電話機の多機能化に伴い、所定の電子部品を搭載するメイン基板４３０に加え、別の基板を筐体内に配置する構造が検討されている。すなわち、図１０（Ｂ）に示すように、メイン基板４４０の上に電池４１０が搭載されていないタイプのものも知られている。この構造では、メイン基板４４０に加え、別のサブ基板４５０が配置され、当該サブ基板４５０上にトレー４２０およびＳＩＭカード５００が配置される。
【００１１】
本構造の場合、電池４１０は、サブ基板４５０に対する相対位置が、図１０（Ａ）の場合に比較して、降下する（下筐体４７０の方へ移動する）こととなる。従って、同図（Ｂ）に点線で示すように、ＳＩＭカード５００を無理に取り出そうとすれば、トレー４２０を電池４１０の上に乗り上げさせるように引き出して取り出すことが可能となり、ＳＩＭカードがない状態での使用が可能となる。なお、図１０（Ａ）、（Ｂ）において、符号４６０はＳＩＭカード５００を搭載したトレー４２０が収容されるハウジングである。
【００１２】
本発明は、上記したような事態を回避するものであって、電池が装着されたままトレーを無理に引き出そうとしても、トレーやカードの引き出し（取り外し）を防止できるカードコネクタ、回路基板、及び携帯端末装置を提供することを目的とするものである。
【課題を解決するための手段】
【００１３】
本発明のカードコネクタは、カードと対向する第１の面と前記第１の面と反対の第２の面を有するトレー部と、前記カードと接続可能な接続端子が設けられ、前記トレー部がスライド方向に沿って挿入されるハウジング部と、を備えるカードコネクタであって、前記トレー部は、前記スライド方向の端部において、前記第１の面から前記第２の面に向かう向きに沿って突出する凸部を有する。
【００１４】
上記構成のカードコネクタによれば、携帯端末装置への組み込み時に、トレー部の凸部を電池側へ突出させることができる。従って、携帯端末装置を正常に動作させるために、電池をセットしたまま、トレーを引き出し、カードを取り外すことを確実に防止することができる。また、凸部は、第２の面に設けることができる。
【００１５】
また、前記トレー部は、前記第１の面と前記第２の面の間を貫通する開口部を有し、前記接続端子は前記開口部を通して前記ハウジング部の内部に露出するよう構成とすることができる。
【００１６】
また、前記凸部は、トレー部の前記スライド方向と直交する幅方向における中央付近に配置することができる。
【００１７】
上記構成によれば、無理にトレー部を持ち上げて引き出そうとしても、トレー部の中央付近は変形しにくいため、電池がセットされた状態でのトレー部の引き出しをより確実に防止することができる。
【００１８】
また、本発明の回路基板は、基板と、前記基板に固定された上記のカードコネクタとを備える回路基板であって、前記基板の端面と前記凸部の側部が対向する。
【００１９】
上記構成によれば、例えば携帯端末装置を落下させたような場合、電池がトレー部に接触し、カード及びコネクタに衝撃が伝わる。本構造を採用することにより、電池から伝わる衝撃力を、対向する回路基板に分散させることで、カードおよびコネクタに伝わる衝撃を軽減できる。
【００２０】
また、上記の回路基板において、前記トレー部が、前記ハウジング部に対する所定距離以上の進入を防止するストッパー部を備える場合、前記第１凸部から前記基板の端面までの距離を、前記ストッパー部から前記ハウジング部までの距離より小さくすることができる。
【００２１】
この構成によれば、第１凸部が基板の端面に当たった場合にも、ストッパー部とハウジング部との間には必ず隙間が確保される。したがって、トレー部を押し込んだ場合でも、トレー部のハウジング部に対する衝突を防止することができる。
【００２２】
また、前記凸部を第１凸部とし、前記トレー部は、前記端部において前記第２の面から前記第１の面に向かう向きに沿って突出する第２凸部を備え、前記第１凸部と前記第２凸部は同一の面を備える。
【００２３】
上記構成によれば、第１凸部と前記第２凸部は同一の面を備えるので、第１凸部と第２凸部との間に指の爪等を引っかけることが難しくなる。この結果、トレー部を無理に持ち上げて引き出すことを、より確実に防止することができる。
【００２４】
また、前記第１凸部の端面を前記第２凸部の端面より前記スライド方向に沿って外側に配置することができる。
【００２５】
上記構成によれば、第１凸部の端面が外側にあるので、第１凸部と第２凸部との間で指の爪等を引っかけ、トレー部を無理に持ち上げて引き出すことが難しくなる。
【００２６】
また、本発明の携帯端末装置は、上記カードコネクタ、または、上記回路基板と電池とを備え、前記凸部が前記電池と対向する。本発明の携帯端末装置においては、電池を外さずにトレー部を引き出すことが不可能となり、カードを取り出した状態での使用を確実に防止することが可能となる。
【発明の効果】
【００２７】
本発明によれば、携帯端末装置において、トレー部の凸部を電池側へ突出させることができる。従って、電池をセットしたまま、トレーを引き出し、カードを取り外すことを確実に防止することができる。
【図面の簡単な説明】
【００２８】
【図１】本発明の第１の実施形態に係る携帯電話機の要部を示す斜視図
【図２】図１の携帯電話機におけるカードコネクタを備えた回路基板を示す斜視図
【図３】図１の携帯電話機における要部を示す断面図
【図４】（Ａ）及び（Ｂ）は本発明の第１の実施形態に係る携帯電話機のカードコネクタの態様を示す斜視図
【図５】図４に示すカードコネクタにおけるハウジング部を示す斜視図
【図６】図４に示すカードコネクタにおけるトレー部を示す斜視図
【図７】本発明の第２の実施形態に係る携帯電話機の要部を示す断面図
【図８】従来の携帯電話機におけるＳＩＭカードを装着した状態を示す説明図
【図９】（Ａ）は従来の携帯電話機におけるＳＩＭカードと携帯電話機の本体側との電気的な接続を図るカードコネクタを示す平面図、（Ｂ）及び（Ｃ）はそれぞれ（Ａ）に示すカードコネクタにＳＩＭカードを装着する前及び後の状態を示す断面図
【図１０】（Ａ）及び（Ｂ）は従来のカードコネクタにおける欠点を示す断面図
【発明を実施するための形態】
【００２９】
以下、本発明の実施形態について、添付図面を参照しながら詳細に説明する。
【００３０】
（第１の実施形態）
図１乃至図３は、本発明の第１の実施形態に係る携帯電話機１０の要部を示すものであり、携帯電話機１０は、表側ケース（図略）とバッテリーカバー１１Ｂとで構成されるケース１１の内部に設けられた電池室１２に隣接した位置に、サブ基板２２及びカードコネクタ３０を含む回路基板２０を備えている。
【００３１】
さらにケース１１の内部には、図示せぬ表側ケースに接する筐体（上ケース）４０と、筐体４０上に配置された電池（又は電池パック）５０およびメイン基板２１と、バッテリーカバー１１Ｂに接する下ケース１１２とが設けられている。また、電話番号を特定するための固有のＩＤ番号が記録されたＳＩＭカード６０が、カードコネクタ３０に挿入されている。
【００３２】
バッテリーカバー１１Ｂには、電池室１２に対向する部分において、開口した電池５０とカード６０とを取り出すための取り出し口１１１が設けられている。取り出し口１１１が設けられている領域以外の内側面には、上述した下ケース１１２が設けられている。
【００３３】
メイン基板２１は、電池室１２まで端部が延在していた従来のメイン基板に比べて、ケース１１の長さ方向についての寸法が短縮されている。このような構成によって、ケース１１の厚さ方向の寸法を短縮させることができ、携帯電話機１０の薄型化が図られている。
【００３４】
回路基板２０は、サブ基板２２と、サブ基板２２上に配置されたカードコネクタ３０とを含む。カードコネクタ３０は、ＳＩＭカード６０を収納し、ＳＩＭカード６０と携帯電話機１０との電気的な接続を図るものであって、ハウジング部３１と、トレー部３２とを備えている。カードコネクタ３０は、サブ基板２２上に実装される。具体的には、カードコネクタ３０がサブ基板２２上に配置され、ハウジング部３１が半田や異方性導電樹脂等を用いてサブ基板２２に固定される。これによりカードコネクタ３０は、サブ基板２２に固定される。
【００３５】
ハウジング部３１は、図４、図５に示すように、所定の絶縁材料によって成形され、一端（図面では前側）と他端（図面では後側）とが開口した略箱状をしており、内部にはトレー部３２が一端から他端に向かった、或いは他端から一端に向かった方向（図４において矢印Ａで示し、以下、この方向をスライド方向と呼ぶ。）にスライド可能な状態で収納されている。
【００３６】
また、ハウジング部３１には、図５に示すように、底面側の所定位置に、ＳＩＭカード６０に設けられた電極と電気的に接続する接続端子３１１が設けられている。一方、ハウジング部３１の一面（図５では上面）には、接続端子３１１１の設置位置に対応する部位に、丸孔３１２が穿設されている。
【００３７】
このような構成のハウジング部３１では、ＳＩＭカード６０が搭載されたトレー部３２が、ハウジング部３１内部の所定位置まで挿入されてセットされ、ＳＩＭカード６０とトレー部３２とがハウジング部３１内に収容されると、ＳＩＭカード６０と接続端子３１１とが電気的に導通され、使用者が携帯電話機１０を使用可能となる。
【００３８】
トレー部３２は、図６に示すように、所定の絶縁材料によって略板状に形成されており、ＳＩＭカード６０に対向する第１の面３２１と、第１の面３２１とは反対の第２の面３２２とを有する。特にトレー部３２は、ＳＩＭ（またはＵＩＭ）カード６０側の電極とハウジング部３１の接続端子３１１との電気的な接続を確保させるため、スライド方向の一端部（基端部）がＵ字型に切り欠かれた開口部３２３を有している。すなわち、開口部３２３は、第1の面３２１と第２の面３２２との間を貫通している。これによって、ＳＩＭカード６０を所定位置にセットさせたときに、ＳＩＭ（またはＵＩＭ）カード６０の電極がハウジング部３１の接続端子３１１に接触・導通可能になる。
【００３９】
トレー部３２は、スライド方向の他端部（先端部）において、第２の面３２２に第１凸部Ｐ１が設けられている。特に、この第１凸部Ｐ１は、第１の面３２１から第２の面３２２に向かう方向に沿って突出している。また、第１凸部Ｐ１は、図３に示すようにサブ基板側の側部３３１がサブ基板２２の端面（先端面）２２１と対向する状態で配置している。更に、第１凸部Ｐ１は、電池５０と対向している。即ち、携帯端末装置１０の厚さ方向において、第１凸部Ｐ１と電池５０は重なる関係に配置されており、第１凸部Ｐ１の上ケース４０側の端部は、電池５０のバッテリーカバー１１Ｂ側の面より上ケース４０側になっている。
【００４０】
ところで、携帯電話機１０を誤って落下させたような場合において、電池５０がずれてトレー部３２に接触し、トレー部３２を押し上げようとする力が働き、さらにＳＩＭカード６０及びカードコネクタ３０に衝撃が伝わる。本構造下においては、電池５０から伝わる力を、第１凸部Ｐ１、端面（先端面）２２１を通じて対向するサブ基板２２に分散させることができ、ＳＩＭカード６０及びカードコネクタ３０に伝わる衝撃を軽減させることができる。
【００４１】
また、トレー部３２は、先端部において、第２の面３２２から第１の面３２１に向かう向きに沿って突出する第２凸部Ｐ２を備えている。従って、第２凸部Ｐ２は第１凸部Ｐ１とは反対の方向に沿って突出する。さらにトレー部３２は、トレー部３２自身をハウジング部３１に対して所定の位置で止めるため、トレー部３２の幅方向（図３の紙面奥行方向）に肉厚に形成されたストッパー部Ｓを備える（図４、図６参照）。ストッパー部Ｓはハイジング部３１と向かい合う面を有し、ハウジング部３１はストッパー部Ｓと向かい合う面を有する。ストッパー部Ｓとハウジング部３１は、それらの面が当接するように配置されている。この配置により、ストッパー部Ｓは、ハウジング部３１に対するトレー部３２の所定距離以上の進入を防止する。そして、本実施形態では、第１凸部Ｐ１からサブ基板２２の端面（先端面）２２１までの距離Ｄ１は、ストッパー部Ｓからハウジング部３１の端部（先端部）３１１までの距離Ｄ２より小さい構成（即ち、Ｄ１＜Ｄ２）となっている。このような構成においては、第１凸部Ｐ１がサブ基板２２の端面２２１に当たった場合にも、ストッパー部Ｓとハウジング部３１との間には必ず隙間が確保される。したがって、トレー部３２を押し込んだ場合でも、トレー部３２のハウジング部３１に対する衝突を防止することができる。
【００４２】
また、本実施形態では、第１凸部Ｐ１と第２凸部Ｐ２の端面を同一面（段差のない滑らかな面）に構成している。即ち、第１凸部Ｐ１と第２凸部Ｐ２は、トレー部３２の先端において同一面を備える。典型的には、この同一面は平面であるが平面に限らず段差のない滑らかな面であれば、どのような面であっても良い。これにより、第１凸部Ｐ１と第２凸部Ｐ２との間に指の爪等を引っかけることが困難となる。従って、電池５０をセットしたままでトレー部３２を無理に持ち上げて引き出し、ＳＩＭカード６０を取り出すことが難しくなる。
【００４３】
また、本実施形態のトレー部３２の第１凸部Ｐ１は、例えば図２、図４（Ａ）に示す構成の場合、第２凸部Ｐ２に比べてみても分かるように、トレー部３２のスライド方向と所定の角度で交差する（典型的には直角に交差する）幅方向における端部に形成されている。一方、図４（Ｂ）に示す変形例の場合、第１凸部Ｐ１がトレー部３２のスライド方向と所定の角度で交差する（典型的には直角に交差する）幅方向において中央付近に配置されている。この構成では、無理にトレーを引き出そうと試みる者が第２凸部Ｐ２を指に引っ掛け、トレー部３２を変形させながら持ち上げようとしても、図２、図４（Ａ）の構成に比べ、第１凸部Ｐ１を上に持ち上げるのは難しい。トレー部３２の幅方向の中央付近（Ｒ）は、端部に比べ変形し難いからである。そのため、第１凸部Ｐ１が電池５０に引っかかりやすく、トレー部３２をさらに抜け難くできる。
【００４４】
（第２の実施形態）
次に、本発明に係る第２の実施形態について、図７を用いて説明する。なお、本実施形態において、第１の実施形態と同一部分には同一符号を付して重複説明を避ける。
【００４５】
本実施形態のカードコネクタ３０において第１凸部Ｐ４は、第１の面３２１から第２の面３２２に向かう向きに沿って突出し、第２凸部Ｐ５は、第２の面３２２から第１の面３２１に向かう向きに沿って突出する。これは第１の実施形態と同様であるが、第１凸部Ｐ４の端面は、第２凸部Ｐ５の端面よりスライド方向に沿ってハウジング部３１を基準に外側に配置された構成となっている。即ち、第１凸部Ｐ４は、第２凸部Ｐ５よりスライド方向に沿ってハウジング部３１を基準に外側に配置されている。
【００４６】
本実施形態によれば、第１凸部Ｐ４の端面が外側にあるので、第１凸部Ｐ４と第２凸部Ｐ５との間で指の爪等を引っかけ、トレー部３４を無理に持ち上げて引き出すことがより難しくなる。即ち、トレー部３４を無理に引き出そうとすると、第１凸部Ｐ４が電池５０に先に当たるので、電池５０をセットしたままでトレー部３４を無理に持ち上げて引き出すことが一層難しくなる。
【００４７】
上記の各実施形態では、カードコネクタ３０にはＳＩＭカード６０が挿入される。しかしながら挿入されるカードはＳＩＭカードには限定されず、ＵＩＭ（User Identify Module Card）等、他の種類のＩＣカードを使用することができ、ＩＣカードの種類は限定されない。
【００４８】
また、上記の各実施形態では、カードコネクタ３０を備えた回路基板２０として、カードコネクタ３０が回路基板２０の上側に配置された（カードコネクタ３０が回路基板２０よりバッテリーカバー１１Ｂ側に配置された）、いわゆるノーマルタイプのものを使用している。しかしながら、本発明のカードコネクタとしては、ノーマルタイプとは逆に、カードコネクタ３０が回路基板２０の下側に配置された（カードコネクタ３０が回路基板２０より表側ケース側に配置された）、いわゆるリバースタイプであっても適用可能である。
【００４９】
なお、本発明は上記の実施形態において示されたものに限定されるものではなく、明細書の記載、並びに周知の技術に基づいて、当業者が変更、応用することも本発明の予定するところであり、保護を求める範囲に含まれる。
【産業上の利用可能性】
【００５０】
本発明の構成によれば、電池に接触する基板を省略した、薄型の携帯端末装置においても、電池を装着した状態でのカードの取り出しを確実に防止することができる。したがって本発明によれば、カードが装着された正常な状態での使用が促される。
【符号の説明】
【００５１】
１０  携帯電話機（携帯端末装置）
１１  ケース
１１Ｂ  バッテリーカバー
１１１  取り出し口
１１２  下ケース
１２  電池室
２０  回路基板
２１  メイン基板
２２  サブ基板（基板）
３０  カードコネクタ
３１  ハウジング部
３１１  接続端子
３１２  丸孔
３２  トレー部
３２１  第１の面
３２２  第２の面
３２３  開口部
３３１  第１凸部の側部
４０  筐体（上ケース）
５０  電池（電池パック）
６０  ＳＩＭカード
Ｐ１、Ｐ４  第１凸部
Ｐ２、Ｐ５  第２凸部
Ｓ  ストッパー部
【図１】
2010278891.tif 000003
【図２】
2010278891.tif 000004
【図３】
2010278891.tif 000005
【図４】
2010278891.tif 000006
【図５】
2010278891.tif 000007
【図６】
2010278891.tif 000008
【図７】
2010278891.tif 000009
【図８】
2010278891.tif 000010
【図９】
2010278891.tif 000011
【図１０】
2010278891.tif 000012